(57)【要約】【課題】回転ダンパを修理又は交換する手間を軽減する椅子の構造を提供する。【解決手段】椅子は、軸体と、座体と、ダンパ回転軸と、回転ダンパと、連動機構と、を備える。座体は、使用者が座るための座面を有し、椅子が配置される床面に対する垂直方向に沿って座面が配置される収納位置と床面に沿って座面が配置される使用位置との間を回動範囲として、軸体を回転中心として回動範囲を回動自在となるように、軸体に取り付けられる。ダンパ回転軸は、座体に対して回転する回転軸である。回転ダンパは、座体に設けられ、ダンパ回転軸の回転力を抑制する。連動機構は、軸体を中心とした座体の回動とダンパ回転軸の回転とを連動させる。【選択図】図７
2020124426.tif 000002
【特許請求の範囲】
【請求項１】
椅子であって、
軸体と、
使用者が座るための座面を有し、前記椅子が配置される床面に対する垂直方向に沿って前記座面が配置される収納位置と前記床面に沿って前記座面が配置される使用位置との間を回動範囲として、前記軸体を回転中心として前記回動範囲を回動自在となるように、前記軸体に取り付けられる座体と、
前記座体に対して回転する回転軸であるダンパ回転軸と、
前記座体に設けられ、前記ダンパ回転軸の回転力を抑制する回転ダンパと、
前記軸体を中心とした前記座体の回動と前記ダンパ回転軸の回転とを連動させる連動機構と、
を備える椅子。
【請求項２】
請求項１に記載の椅子であって、
前記連動機構は、
連動アームと、
前記座体の回動に対して不動に設けられ、前記連動アーム上の第１の部分を第１支持点にて支持するアーム支持部と、
を有し、
前記ダンパ回転軸は、前記連動アーム上の前記第１の部分とは異なる領域である第２の部分により固定される、椅子。
【請求項３】
請求項２に記載の椅子であって、
前記アーム支持部は、前記連動アームの前記第１の部分を回転自在に支持し、
前記ダンパ回転軸は、前記第１支持点と、前記ダンパ回転軸において前記第２の部分を支持する第２支持点との距離である点間距離が前記座体の回動に従って変化する位置に配置され、
前記連動アームは、前記点間距離の変化に応じて、前記第１の部分から前記第２の部分までの距離を変化させる可変長部を有する、椅子。
【請求項４】
請求項３に記載の椅子であって、
前記可変長部は、前記連動アームを伸縮させる伸縮機構を有する、椅子。
【請求項５】
請求項３又は請求項４に記載の椅子であって、
前記可変長部は、前記連動アームを屈曲させる屈曲機構を有する、椅子。
【請求項６】
請求項２に記載の椅子であって、
前記座体は、あらかじめ決められた移動方向に沿った前記ダンパ回転軸の移動をガイドするガイド機構を更に備え、
前記アーム支持部は、前記連動アームの前記第１の部分を回転自在に支持し、
前記第１支持点は、前記座体の回動中心から離れた位置に設けられる、椅子。
【発明の詳細な説明】
【技術分野】
【０００１】
本開示は、座面が軸体に対して回動する椅子に関する。
【背景技術】
【０００２】
従来、映画館や劇場などの床面に配置され、座体が軸体を中心として回動する椅子が知られている。当該椅子は、軸体を内部に設けた座体が回動することにより、座面が床面に対して略平行方向に突出する使用位置と、座面が床面に対して略垂直方向に突出する収納位置との間を移動する。使用位置では、座面が床面に対して略平行方向に突出するため、使用者が座りやすくなる。収納位置では、座面が床面に対して略垂直方向に突出するため、使用位置において自由端が突出していたスペースを空けることができる。
【０００３】
また、当該椅子は、使用位置から収納位置へと戻るように座体を跳ね上げる力を加える付勢手段を備える。使用者が椅子から離席することにより、当該付勢手段により自動で使用位置から収納位置へと座体が回動する。
【０００４】
この種の椅子において、座体を支持する軸体である支持軸に取り付けられた座体が使用位置から収納位置に向けて付勢手段により回動する際に、緩やかに回動するように跳ね上げ方向にかかる力を抑制する回転ダンパと支持軸とを一体に設けた椅子に関する技術が、特許文献１には記載されている。
【先行技術文献】
【特許文献】
【０００５】
【特許文献１】特開２０１３−０２４３４８号公報
【発明の概要】
【発明が解決しようとする課題】
【０００６】
しかしながら、回転ダンパと支持軸とが一体に設けられると、回転ダンパの故障などにより、回転ダンパを交換又は修理する際に、支持軸に取り付けられた座体を支持軸から取り外し、支持軸を分解して回転ダンパ部分を露出させる必要があった。そのため、回転ダンパの修理又は交換に手間がかかっていた。
【０００７】
本開示の１つの局面は、回転ダンパを修理又は交換する手間を軽減する椅子の構造を提供することにある。
【課題を解決するための手段】
【０００８】
本開示の一態様は、椅子であって、軸体と、座体と、ダンパ回転軸と、回転ダンパと、連動機構と、を備える。座体は、使用者が座るための座面を有し、椅子が配置される床面に対する垂直方向に沿って座面が配置される収納位置と床面に沿って座面が配置される使用位置との間を回動範囲として、軸体を回転中心として回動範囲を回動自在となるように、軸体に取り付けられる。ダンパ回転軸は、座体に対して回転する回転軸である。回転ダンパは、座体に設けられ、ダンパ回転軸の回転力を抑制する。連動機構は、軸体を中心とした座体の回動とダンパ回転軸の回転とを連動させる。
【０００９】
このような構成によれば、回転ダンパは、座体に設けられるため、座体を支持する支持軸から取り外して支持軸を分解する必要がなく、座体の回転ダンパを修理又は交換することができる。
【００１０】
これにより、回転ダンパの修理又は交換をする手間を軽減することができる。
本開示の別の一態様では、連動機構は、連動アームと、アーム支持部と、を有してもよい。アーム支持部は、座体の回動に対して不動に設けられ、連動アーム上の第１の部分を第１支持点にて支持されてもよい。ダンパ回転軸は、連動アーム上の第１の部分とは異なる領域である第２の部分により固定されてもよい。
【００１１】
このような構成によれば、座体の回動に対して不動に設けられたアーム支持部が連動アーム上の第１の部分を第１支持点にて支持し、連動アーム上の第１の部分とは異なる領域である第２の部分によりダンパ回転軸が固定される。このため、座体の回動に応じて連動アームが回転すると、連動アームの回転がダンパ回転軸に伝達し、回転ダンパにより座体の回動が抑制される。
【００１２】
本開示の別の一態様では、アーム支持部は、連動アームの第１の部分を回転自在に支持してもよい。ダンパ回転軸は、第１支持点と、ダンパ回転軸において第２の部分を支持する第２支持点との距離である点間距離が座体の回動に従って変化する位置に配置されてもよい。連動アームは、点間距離の変化に応じて、第１の部分から第２の部分までの距離を変化させる可変長部を有してもよい。また、可変長部は、連動アームを伸縮させる伸縮機構を有してもよい。また、連動アームを屈曲させる屈曲機構を有してもよい。
【００１３】
このような構成によれば、座体の回動に応じて、連動アームが回転する際に、連動アームの第１支持点と第２支持点との距離である点間距離が回動に従って変化しても、座体の回動の回転力をダンパ回転軸に伝達することができる。
【００１４】
本開示の別の一態様では、座体は、あらかじめ決められた移動方向に沿ったダンパ回転軸の移動をガイドするガイド機構を更に備えてもよい。アーム支持部は、連動アームの第１の部分を回転自在に支持してもよい。第１支持点は、座体の回動中心から離れた位置に設けられてもよい。
【００１５】
このような構成によれば、長さが変化しない固定長の連動アームであっても、座体の回動による回転力をダンパ回転軸に伝達することができる。
【図面の簡単な説明】
【００１６】
【図１】座体の位置が収納位置である椅子の全体構成を表した斜視図である。
【図２】座体の位置が使用位置である椅子の全体構成を表した斜視図である。
【図３】椅子の全体構成を表した側面図である。
【図４】図４（ａ）が、座体の位置が収納位置である椅子を椅子の上方向から見た図であり、図４（ｂ）が、座体の位置が使用位置である椅子を椅子の上方向から見た図である。
【図５】図５（ａ）が、座体の位置が収納位置である椅子を椅子の前方向から見た図であり、図５（ｂ）が、座体の位置が使用位置である椅子を椅子の前方向から見た図である。
【図６】椅子の裏カバーを外した状態において、座体を裏面から見た図である。
【図７】図６の座体のＶＩＩ−ＶＩＩ線断面図である。
【図８】座体が回動する際の連動機構を表した図である。図８（ａ）が、使用位置における連動機構を表す。図８（ｂ）が、収納位置と使用位置との間における連動機構を表す。図８（ｃ）が収納位置における連動機構を表す。
【図９】変形例における座体の構造を表した図である。
【図１０】変形例における回転ダンパのガイド機構の例を表した図である。
【図１１】変形例における回転ダンパのガイド機構の例を表した図である。
【図１２】変形例における座体の構造を表した図である。
【図１３】変形例における座体の構造を表した図である。
【図１４】変形例における座体の構造を表した図である。
【発明を実施するための形態】
【００１７】
以下、図面を参照しながら、本開示の実施形態を説明する。
［１．構成］
＜椅子１＞
図１〜図５に示すように椅子１は、大別すると、使用者が着座する座体１０と、使用者が座体１０に着座した際にもたれかかる背もたれ２０と、支持体３０とを備える。更に椅子１は、図６〜８に示すように付勢機構４０及び連動機構５０を備える。座体１０と付勢機構４０と連動機構５０との詳細については後述する。
【００１８】
支持体３０は、一脚の椅子１につき、２つの脚部３１、支持軸３２及び軸受金具３４を備える。
なお、一脚の椅子１につき、脚部３１は２つ備えられるが、図１〜図５に示したように椅子１が隣接する場合には、椅子１同士の間の脚部３１は、椅子１両者兼用の脚部３１として使用されるように設けられてもよい。また、図１〜図５では、椅子１は、２脚並んで配置されるものを例示したが、配置される椅子１の数は２脚に限定されるものではなく、１脚でも３脚以上であってもよい。
【００１９】
脚部３１はそれぞれ、板状平面を有する形状に形成される。脚部３１はそれぞれ板状平面と、椅子１が設置される床面とが直交するように立設される。なお、床面と直交する向きを、以下では上下方向とする。また、脚部３１は、椅子１が設置される床面に固着されるものに限定されるものではなく、移動可能に配置されるものであってもよい。
【００２０】
一脚の椅子１を構成する２つの脚部３１は、当該脚部３１の板状平面が互いに平行となるような向きに配置される。当該板状平面に沿った方向であって、上下方向に垂直な方向を、以下では、前後方向とする。
【００２１】
一脚の椅子１を構成する２つの脚部３１の間の後方部分に背もたれ２０が配置される。背もたれ２０は板状の面を有し、板状の面が略上下方向を向くように脚部３１の後方部分に固定される。
【００２２】
図４及び図５に示すように、脚部３１には、背もたれ２０が固定される位置よりも前方の、支持軸３２を支持する位置に、軸受金具３４が取り付けられる。
軸受金具３４は支持軸３２の軸受の役割をする。すなわち、脚部３１は軸受金具３４を介して支持軸３２を支持する。
【００２３】
支持軸３２は、軸体であって、軸方向が地面と平行かつ、脚部３１の板面と垂直になるように、２つの脚部３１の間に設けられる。支持軸３２は、脚部３１により後述する座体１０の回動に対して不動となるように支持される。
【００２４】
座体１０は、支持軸３２に対して回動可能に設けられる。当該座体は、図１に示すように座体１０の座面が床面に対して略垂直方向、すなわち上下方向に突出する収納位置と、図２に示すように座体１０の座面が床面に対して略平行方向、すなわち前後方向に突出する使用位置との間である回動範囲の間を回動する。
【００２５】
椅子１に使用者が着座していない時には、付勢機構４０により、座体１０を使用位置から収納位置へと自動起立させ、椅子１の前後の間隔を広げることが可能な座跳ね上げ式椅子となっている。すなわち、使用者が着座する際には、座体１０を収納状態へと自動起立
させる付勢機構４０の付勢力に抗して回動させ、着座するなどすることにより、下方へと力を加えて使用位置に座体１０を保持させる。
【００２６】
＜座体１０＞
図６に示すように、座体１０は、クッション１１と、座板１２と、座枠１３と、回転ダンパ１５とを備える。更に、図７に示すように、座体１０は、裏カバー１４を更に備える。
【００２７】
座体１０の説明においては、座体１０において、使用位置において、使用者が着座した際の使用者の身体が向く向きを基準として、前後上下左右を説明する。
なお、図６において、支持体３０に支持された状態での座体１０の中央のＶＩＩ―ＶＩＩ面で切断し、左方向に向かってみた断面の断面図を図７に示す。
【００２８】
図７に示すようにクッション１１において使用者が着座する面である座面を表面として、表面側とは反対側である裏面側に座板１２が組み付けられる。
座板１２は、合成樹脂で全体が略矩形状に形成される。図６に示すように、座板１２は、多数の同心円を形成するように円弧状に穿設された複数の溝１２１が左右対称に設けられている。座板１２の前端には、クッション１１の前垂れ部１１１を支持する突起板１２２が設けられる。
【００２９】
座枠１３は、座板１２の縁に沿って固定される枠である。座枠１３は座板１２の中心向きに収納空間を有する。
また、座枠１３は、支持穴１３１を有する。
【００３０】
支持穴１３１は、座枠１３の前後方向の中央よりも後方側において、座枠１３の左右方向に向かって貫通する。支持穴１３１の大きさは、支持軸３２が挿通できる大きさに形成される。当該支持軸３２が脚部３１により支持されることにより、座体１０は脚部３１により支持される。
【００３１】
裏カバー１４は、座枠１３の外縁部と一致する大きさに形成される。図６では図示を省略するが、裏カバー１４は、図６において紙面手前側に配置される。なお、図１〜５及び図７に示すように裏カバー１４は、座体１０の内部が露出することを防ぐように座枠１３全体を覆うように取り付けられる。
【００３２】
図６及び図７に示すように、回転ダンパ１５は、当該ダンパの回転中心にダンパ回転軸１５１を有する。回転ダンパ１５は、ダンパ回転軸１５１が軸方向を中心として回転することにより、あらかじめ決められた回転方向に対して減衰力を発揮する。ここでいうあらかじめ決められた方向とは、使用位置から収納位置へと回動する座体１０に連動して、ダンパ回転軸１５１が回転する方向をいう。回転ダンパ１５は、座枠１３が形成する収納空間内に収納され、座枠１３に固定される。
【００３３】
＜付勢機構４０＞
図６に示すように付勢機構４０は、フランジ４１、ばね接続軸４２及びねじりコイルばね４３を有する。
【００３４】
フランジ４１は、支持軸３２の周面に形成され、支持軸３２の周面に対して外側に向かって突設する。
ばね接続軸４２は、座枠１３の側面部分から座体１０の内側に向かって突設する。
【００３５】
ねじりコイルばね４３は、コイル状に形成され、コイルの内部を支持軸３２が挿通する
ように配置される。ねじりコイルばね４３の一方の腕部分は、突設したフランジ４１に接続し、ねじりコイルばね４３の他方の腕部分はばね接続軸４２に接続される。
【００３６】
座体１０が使用位置から収納位置に向かうようにねじりコイルばね４３の復元力が発生するような位置及び向きに、ねじりコイルばね４３は配置される。すなわち、ねじりコイルばね４３は、使用位置から収納位置に自動的に戻るように配置される。
【００３７】
＜連動機構５０＞
連動機構５０は、座体１０の回動とダンパ回転軸１５１の回転とを連動させる機構である。
【００３８】
図７に示すように、連動機構５０は、連動アーム５１と支持体接続軸５１２ａとを有する。
連動アーム５１は、内側アーム５１１及び外側アーム５１２を備える。
【００３９】
内側アーム５１１は軸形状に形成され、一端にダンパ接続部５１１ａを備える。ダンパ接続部５１１ａは、内側アーム５１１の軸形状の軸方向に対して垂直方向に沿ってダンパ回転軸１５１を挿通可能な開口を有する。
【００４０】
外側アーム５１２は、円筒状に形成され、当該円筒形状の内側面が内側アーム５１１の軸形状の周面を覆い、内側アーム５１１と外側アーム５１２との軸方向が一致するように嵌合する。また、当該嵌合により、内側アーム５１１が外側アーム５１２の開口内を軸方向に沿って摺動可能に保持される。すなわち、内側アーム５１１と外側アーム５１２とは、軸方向に沿って伸縮可能に保持される。
【００４１】
外側アーム５１２は、一端にアームの軸方向と垂直方向に座体１０の内側に向かって突出する支持体接続軸５１２ａを備える。
支持軸３２には、固定金具３３が座体１０の回動に対して不動となるように備えられる。
【００４２】
固定金具３３の詳細に関しては、図６〜図８を用いて説明する。固定金具３３は、支持軸受３３ａ、アーム接続穴３３ｂ、ストッパー３３ｅを有する。
支持軸受３３ａは、支持軸３２を挿通させる開口を有する部分である。また、固定金具３３が座体１０の回動に対して不動となるように、支持軸受３３ａは支持軸３２にネジ止めなどにより固定される。
【００４３】
アーム接続穴３３ｂは、左右方向に沿った円形の開口であり、支持軸受３３ａの近傍に設けられる。支持体接続軸５１２ａが挿通する開口である。また、支持体接続軸５１２ａを回転自在に支持する。
【００４４】
ストッパー３３ｅは、図６〜図８に示すように、固定金具３３の上部に配置され、座体１０が使用位置において略水平状態を向くように座体１０を支持する。すなわち、座体１０に使用者が着座した状態で、使用位置よりも座体１０の先端が下方向に回動しないように支持する。
【００４５】
固定金具３３は、座体１０の回動に対して、不動である。そのため、支持軸受３３ａ、アーム接続穴３３ｂ及びストッパー３３ｅは、座体１０の回動に対して、不動である。
座体１０が回動する際の連動機構５０の動作について、図８を用いて説明する。
【００４６】
図８（ａ）に示すように、使用位置において、内側アーム５１１及び外側アーム５１２
とは、最も収縮した状態となる。また、使用状態において、座板１２は、ストッパー３３ｅにより、使用状態よりも座板１２が下方向に回動しないように支持される。
【００４７】
図８（ｂ）に示すように、座体１０は、支持軸３２を中心に回動する。ここで、回転ダンパ１５のダンパ回転軸１５１と連動アーム５１のダンパ接続部５１１ａとが接続されている。また、連動アーム５１は、支持体接続軸５１２ａを介してアーム接続穴３３ｂと回動可能に接続されている。すなわち、座体１０の支持軸３２を中心とした回動に従って、連動アーム５１も回転する。そして、連動アーム５１はダンパ回転軸１５１を介して座体１０の回転力を回転ダンパ１５に伝達する。これにより、使用位置から収納位置へと座体１０が回動する際の勢いが、回転ダンパ１５により減衰される。
【００４８】
また、内側アーム５１１と外側アーム５１２とは、座体１０の回動にしたがって伸長しながら、連動アーム５１は、支持体接続軸５１２ａを中心として回転する。
図８（ｃ）は、収納位置における連動機構５０を表す。連動機構５０の連動アーム５１において、内側アーム５１１と外側アーム５１２とは、伸長した状態となる。
【００４９】
なお、連動機構５０において、支持体接続軸５１２ａが第一の部分に相当し、アーム接続穴３３ｂがアーム支持部に相当し、アーム接続穴３３ｂにより支持される点が第１支持点に相当する。また、ダンパ接続部５１１ａが第二の部分に相当する。ダンパ回転軸１５１において、ダンパ接続部５１１ａを支持する部分が第２支持点に相当する。すなわち、アーム接続穴３３ｂ及び回転ダンパ１５においてダンパ接続部５１１ａを支持する部分との距離が点間距離に相当する。さらに、内側アーム５１１及び外側アーム５１２が伸縮機構、可変長部に相当する。
【００５０】
［２．効果］
以上詳述した実施形態によれば、以下の効果を奏する。
（１）上記実施形態によれば、回転ダンパ１５は座体１０に配置され、裏カバー１４を外すことにより、回転ダンパ１５を露出させることができる。そのため、座体１０を支持軸３２から取り外す必要はなく、回転ダンパ１５の修理又は交換を行うことができる。
【００５１】
（２）上記実施形態によれば、座体１０の回動に対して不動に設けられたアーム接続穴３３ｂが連動アーム５１上の支持体接続軸５１２ａを第１支持点にて支持し、連動アーム５１上のアーム接続穴３３ｂとは異なる領域であるダンパ接続部５１１ａによりダンパ回転軸１５１が固定される。このため、座体１０の回動に応じて連動アーム５１が回転すると、連動アーム５１の回転がダンパ回転軸１５１に伝達し、回転ダンパ１５により座体１０の回動が抑制される。
【００５２】
（３）上記実施形態によれば、アーム接続穴３３ｂは、支持体接続軸５１２ａを回転自在に支持する。ダンパ回転軸１５１は、アーム接続穴３３ｂにより支持される点である第１支持点と、ダンパ回転軸１５１においてダンパ接続部５１１ａを支持する点である第２支持点との距離である点間距離が座体１０の回動に従って変化する位置に配置される。連動アーム５１は、当該点間距離の変化に応じて、第１の部分から第２の部分までの距離を変化させる内側アーム５１１及び外側アーム５１２を有する。また、内側アーム５１１及び外側アーム５１２は、連動アーム５１を伸縮させる伸縮機構を有する。このため、座体１０の回動に応じて、連動アーム５１が回転する際に、連動アーム５１の第１支持点と第２支持点との距離である点間距離が座体１０の回動に従って変化する。これにより、連動アーム５１の長さが変化し、ダンパ回転軸１５１を介して回転ダンパ１５に回転力を伝達することができる。
【００５３】
［３．他の実施形態］
以上、本開示の実施形態について説明したが、本開示は上述の実施形態に限定されることなく、種々変形して実施することができる。
【００５４】
（１）上記実施形態においては、連動機構５０は、内側アーム５１１と外側アーム５１２とが伸縮することにより連動アーム５１全体が座体１０の回動に従って伸縮する。しかし、上記実施形態のように、連動アーム５１は座体１０の回動に従って伸縮するものに限定されるものではない。例えば、図９に示すように固定長の連動アーム６１を備えてもよい。この場合において、図９及び図１０の斜視図に示すように座体１０は、あらかじめ決められた移動方向に沿ったダンパ回転軸１５１の移動をガイドするガイド機構１７を更に備えてもよい。具体的にはガイド機構１７は、座板１２に沿った方向に回転ダンパ１６の周面を摺動させる。また、ガイド機構１７は、図１０に示すように回転ダンパ１６の周面を摺動させるものに限定されるものではない。例えば、図１１に示すように回転ダンパ１８のダンパ回転軸１８１に沿った方向にガイド軸１８２を突設し、当該突出したガイド軸１８２を摺動させるガイド機構１９を備えてもよい。
【００５５】
このような構成によれば、長さが変化しない固定長の連動アーム５１であって、座体１０の回動による回転力をダンパ回転軸１５１に伝達することができる。
また、図７に示すように支持体接続軸５１２ａが挿通するアーム接続穴３３ｂは円形の開口であるが、アーム接続穴３３ｂの開口形状は円形に限定されるものではない、例えば、図１２に示すアーム接続穴３３ｃのように溝形状に開口されてもよい。これにより、支持体接続軸５１２ａは、当該アーム接続穴３３ｃを挿通した状態でアーム接続穴３３ｃ内を摺動する。また、アーム接続穴３３ｃの溝の形状は、支持軸受３３ａの開口の中心を円弧の中心とする円弧形状と使用位置における座板１２の板面に沿った方向の直線形状とが合わさった形状に開口されてもよい。さらに、当該直線形状が円弧形状に比べて脚部３１の後方側に位置するような形状であってもよい。当該アーム接続穴３３ｃの溝形状により、座体１０の回動に応じてアーム接続穴３３ｃを挿通する支持体接続軸５１２ａがアーム接続穴３３ｃ内を回動しながら摺動する構成であってもよい。
【００５６】
このような構成によれば、長さが変化しない固定長の連動アーム７１であって、座体１０の回動による回転力をダンパ回転軸１５１に伝達することができる。
また、アーム接続穴３３ｃ及び支持体接続軸５１２ａの構成に代えて、図１３に示すように、アーム挟持部３３ｄを備えてもよい。すなわち、アーム接続穴３３ｃに相当する位置を挟み込む位置に一対の突出した部分であるアーム挟持部３３ｄを備えてもよい。そして、当該アーム挟持部３３ｄにより連動アーム８１を挟持させ、座体１０の回動にしたがって、連動アーム８１が回転することによりアーム挟持部３３ｄの間を摺動してもよい。
【００５７】
このような構成によれば、長さが変化しない固定長の連動アーム８１であっても、座体１０の回動による回転力をダンパ回転軸１５１に伝達することができる。
さらに、図１４に示すように、屈曲する屈曲機構を有する連動アーム９１であってもよい。
【００５８】
このような構成によれば、長さが変化しない固定長の連動アーム９１であっても、座体１０の回動による回転力をダンパ回転軸１５１に伝えることができる。
（２）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【００５９】
［４．実施形態から把握させる技術思想］
以上詳述した種々の実施形態から、少なくとも以下の技術思想が把握される。
［５Ａ］椅子であって、
軸体と、
使用者が座るための座面を有し、前記椅子が配置される床面に対する垂直方向に沿って前記座面が配置される収納位置と前記床面に沿って前記座面が配置される使用位置との間を回動範囲として、前記軸体を回転中心として前記回動範囲を回動自在となるように、前記軸体に取り付けられる座体と、
前記座体に対して回転する回転軸であるダンパ回転軸と、
前記座体に設けられ、前記ダンパ回転軸の回転力を抑制する回転ダンパと、
前記軸体を中心とした前記座体の回動と前記ダンパ回転軸の回転とを連動させる連動機構と、
を備える椅子。
【００６０】
［５Ｂ］前記［５Ａ］に記載の椅子であって、
前記連動機構は、
連動アームと、
前記座体の回動に対して不動に設けられ、前記連動アーム上の第１の部分を第１支持点にて支持するアーム支持部と、
を有し、
前記ダンパ回転軸は、前記連動アーム上の前記第１の部分とは異なる領域である第２の部分により固定される、椅子。
【００６１】
［５Ｃ］前記［５Ｂ］に記載の椅子であって、
前記アーム支持部は、前記連動アームの前記第１の部分を回転自在に支持し、
前記ダンパ回転軸は、前記第１支持点と、前記ダンパ回転軸において前記第２の部分を支持する第２支持点との距離である点間距離が前記座体の回動に従って変化する位置に配置され、
前記連動アームは、前記点間距離の変化に応じて、前記第１の部分から前記第２の部分までの距離を変化させる可変長部を有する、椅子。
【００６２】
［５Ｄ］前記［５Ｃ］に記載の椅子であって、
前記可変長部は、前記連動アームを伸縮させる伸縮機構を有する、椅子。
［５Ｅ］前記［５Ｃ］又は前記［５Ｄ］に記載の椅子であって、
前記可変長部は、前記連動アームを屈曲させる屈曲機構を有する、椅子。
【００６３】
［５Ｆ］前記［５Ｂ］に記載の椅子であって、
前記座体は、あらかじめ決められた移動方向に沿った前記ダンパ回転軸の移動をガイドするガイド機構を更に備え、
前記アーム支持部は、前記連動アームの前記第１の部分を回転自在に支持し、
前記第１支持点は、前記座体の回動中心から離れた位置に設けられる、椅子。
【００６４】
［５Ｇ］前記［５Ｂ］に記載の椅子であって、
前記ダンパ回転軸は、前記座体に対して固定され、
前記連動アームは、前記第１の部分と前記第２の部分との間の距離が固定長となるように形成され、
前記アーム支持部は、前記座体の回動に応じた前記連動アームの前記第１の部分の移動に応じて、前記第１支持点の位置を移動しながら支持する、椅子。
【００６５】
［５Ｈ］前記［５Ｂ］に記載の椅子であって、
前記ダンパ回転軸は、前記座体に対して固定され、
前記アーム支持部は、前記座体の回動に応じた前記連動アームの前記第１の部分の移動に応じて、前記アーム支持部の前記第１支持点上を摺動するように、前記連動アームの前記第１の部分を支持する、椅子。
【００６６】
［５Ｉ］前記［５Ａ］から前記［５Ｈ］までのいずれか１つに記載の椅子であって、
前記床面に立設され、前記軸体を当該軸体の軸方向が前記床面に対して平行となるように保持する支持体を更に備える、椅子。
【符号の説明】
【００６７】
１…椅子、１０…座体、１１…クッション、１２…座板、１３…座枠、１４…裏カバー、１５，１６，１８…回転ダンパ、１７，１９…ガイド機構、２０…背もたれ、３０…支持体、３１…脚部、３２…支持軸、３３…固定金具、３３ａ…支持軸受、３３ｂ，３３ｃ…アーム接続穴、３３ｄ…アーム挟持部、３３ｅ…ストッパー、３４…軸受金具、４０…付勢機構、４１…フランジ、４２…ばね接続軸、４３…ねじりコイルばね、５０…連動機構、５１，６１，７１，８１，９１…連動アーム、１１１…前垂れ部、１２１…溝、１２２…突起板、１３１…支持穴、１５１，１８１…ダンパ回転軸、１８２…ガイド軸、５１１…内側アーム、５１１ａ…ダンパ接続部、５１２…外側アーム、５１２ａ…支持体接続軸。
【図１】
2020124426.tif 000003
【図２】
2020124426.tif 000004
【図３】
2020124426.tif 000005
【図４】
2020124426.tif 000006
【図５】
2020124426.tif 000007
【図６】
2020124426.tif 000008
【図７】
2020124426.tif 000009
【図８】
2020124426.tif 000010
【図９】
2020124426.tif 000011
【図１０】
2020124426.tif 000012
【図１１】
2020124426.tif 000013
【図１２】
2020124426.tif 000014
【図１３】
2020124426.tif 000015
【図１４】
2020124426.tif 000016